(57)【要約】      （修正有）【課題】パウチ容器における絞り出し装置において、耐久性を高めた金型の構造を提供する。【解決手段】少なくとも二本の棒状体３，４を、その間に細幅スリット９を形成するように並べて、これらの両端又は一端の相互間を互いに一体に連結し、前記細幅スリット９に、パウチ容器２を差し込む構成にして絞りだし装置１を構成する。前記各棒状体を、その長手方向から見て、前記一方の棒状体３の下面３ａよりも下側で且つその側面３ｂ，３ｃよりも外側の部位に前記他方の棒状体４が位置するように、互いにずらせて配設し、前記一方棒状体３における下面３ａと、前記他方の棒状体４における上面４ａとの間に、前記細幅スリット９を形成する。【選択図】図１
0003170324.tif 000002
【実用新案登録請求の範囲】
【請求項１】
複数本の棒状体を並べて，これらの両端部又は一端部の相互間を互いに一体に連結して成り，前記各棒状体のうち少なくとも一本の一方の棒状体は，その長手方向に平面状に延びる下面及び左側面又は右側面を有する一方，前記各棒状のうち他方の棒状体は，その長手方向に平面状に延びる上面を有し，前記各棒状体は，その長手方向から見て，前記一方の棒状体における下面よりも下側で且つその左側面又は右側面よりも外側の部位に他方の棒状体が位置するように，互いにずれて配設されており，前記一方の棒状体における下面と前記他方の棒状体における上面との間に，パウチ容器を差し込みする細幅スリットが形成されていることを特徴とするパウチ容器における絞り出し装置。
【請求項２】
前記請求項１の記載において，前記各棒状体は，少なくとも一本の一方の第１棒状体と二本の他方の棒状体との三本とからなる構成であり，この三本の棒状体は，その長手方向から見て，前記一方の棒状体における下面よりも下側で且つ左右両側面よりも外側の部位に前記他方の棒状体が各々位置するように，互いにずれて配設されていることを特徴とするパウチ容器における絞り出し装置。
【請求項３】
前記請求項１又は２の記載において，前記各棒状体のうち一方の棒状体の上面に，その長手方向に延びる板状に構成した摘まみ片が一体に設けられていることを特徴とするパウチ容器における絞り出し装置。
【請求項４】
前記請求項１〜３のいずれかの記載において，前記各棒状体のうち他方の棒状体の下面に，その長手方向に延びる板状に構成した摘まみ片が一体に設けられていることを特徴とするパウチ容器における絞り出し装置。
【請求項５】
前記請求項３又は４の記載において，前記摘まみ片は，その中央部分を最も高くした山形状であることを特徴とするパウチ容器における絞り出し装置。
【請求項６】
互いに型合わせされる上金型と下金型とから成り，前記上金型の下面には，一方の棒状体を形成する第１キャビティーが凹ませて設けられている一方，前記下金型の上面には，前記第１キャビティーよりも外側の部分に他方の棒状体を形成する第２キャビティーが凹ませて設けられていて，前記第１キャビティーと前記第２キャビティーとは，その一端部又は両端部において連通する構成であり，更に，前記下金型には，前記一方の棒状体の下面を形成する部分が，前記上金型には，前記他方の棒状体の上面を形成する部分が各々設けられ，前記下金型のうち一方の棒状体の下面を形成する部分と，前記上金型のうち他方の棒状体の上面を形成する部分との間には，前記一方の棒状体の下面と前記他方の棒状体における上面との間にパウチ容器の差し込み用の細幅スリットを形成するようにした段差が設けられていることを特徴とするパウチ容器における絞り出し装置の成形用金型。
【考案の詳細な説明】
【技術分野】
【０００１】
本考案は，合成樹脂等にて袋状又はチューブ状に形成したパウチ容器において，その内容物を絞り出す装置と，これを樹脂成形又はダイキャスト成形する成形用金型とに関するものである。
【背景技術】
【０００２】
従来，この種の絞り出し装置は，例えば，特許文献１〜３等に記載されているように，合成樹脂等の適宜材料製にした少なくとも二本の棒状体を，その間に細幅スリットを形成するように並べて，その両端又は一端の相互間を互いに一体に連結し，この両棒状体の間における細幅スリット内に袋状又はチューブ状に形成したパウチ容器を差し込み，この状態で，前記両棒状体を前記パウチ容器における抽出口に近づけるように相対的に移動することで，前記パウチ容器における内容物を絞り出すという構成にしている。
【先行技術文献】
【特許文献】
【０００３】
【特許文献１】実開昭５１−１５７４４０号公報
【特許文献２】実開平０３−１２３８４９号公報
【特許文献３】特開２０００−３０２１４２号公報
【考案の概要】
【考案が解決しようとする課題】
【０００４】
しかし，従来における絞り出し装置は，二本の棒状体を，上下の真下又は真上に並べて配設するか，或いは，左右の真横に配設するという構成であるから，これを合成樹脂にて金型成形する場合には，以下に述べるような問題があった。
【０００５】
すなわち，合成樹脂の成形用金型には，そのうち細幅スリットを形成する部分を，前記細幅スリットにおける幅寸法に合わせて可成り薄くした薄板状の形状にしなければならず，この薄板状の部分に，摩耗等の損傷が発生し易く，前記成形用金型における耐久性が低いから，この耐久性の低い分だけ製造コストが嵩むのであり，しかも，前記細幅スリットにおける幅寸法が不揃いになるという問題があった。
【０００６】
本考案は，これらの問題を解消することを技術的課題としている。
【課題を解決するための手段】
【０００７】
この技術的課題を達成するため請求項１は，
「複数本の棒状体を並べて，これらの両端部又は一端部の相互間を互いに一体に連結して成り，前記各棒状体のうち少なくとも一本の一方の棒状体は，その長手方向に平面状に延びる下面及び左側面又は右側面を有する一方，前記各棒状のうち他方の棒状体は，その長手方向に平面状に延びる上面を有し，前記各棒状体は，その長手方向から見て，前記一方の棒状体における下面よりも下側で且つその左側面又は右側面よりも外側の部位に他方の棒状体が位置するように，互いにずれて配設されており，前記一方の棒状体における下面と前記他方の棒状体における上面との間に，パウチ容器を差し込みする細幅スリットが形成されている。」
ことを特徴としている。
【０００８】
請求項２は，
「前記請求項１の記載において，前記各棒状体は，少なくとも一本の一方の第１棒状体と二本の他方の棒状体との三本とからなる構成であり，この三本の棒状体は，その長手方向から見て，前記一方の棒状体における下面よりも下側で且つ左右両側面よりも外側の部位に前記他方の棒状体が各々位置するように，互いにずれて配設されている。」
ことを特徴としている。
【０００９】
請求項３は，
「前記請求項１又は２の記載において，前記各棒状体のうち一方の棒状体の上面に，その長手方向に延びる板状に構成した摘まみ片が一体に設けられている。」
ことを特徴としている。
【００１０】
請求項４は，
「前記請求項１〜３のいずれかの記載において，前記各棒状体のうち他方の棒状体の下面に，その長手方向に延びる板状に構成した摘まみ片が一体に設けられている。」
ことを特徴としている。
【００１１】
請求項５は，
「前記請求項３又は４の記載において，前記摘まみ片は，その中央部分を最も高くした山形状である。」
ことを特徴としている。
【００１２】
次に，請求項６は，成形用金型に関し，
「互いに型合わせされる上金型と下金型とから成り，前記上金型の下面には，一方の棒状体を形成する第１キャビティーが凹ませて設けられている一方，前記下金型の上面には，前記第１キャビティーよりも外側の部分に他方の棒状体を形成する第２キャビティーが凹ませて設けられていて，前記第１キャビティーと前記第２キャビティーとは，その一端部又は両端部において連通する構成であり，更に，前記下金型には，前記一方の棒状体の下面を形成する部分が，前記上金型には，前記他方の棒状体の上面を形成する部分が各々設けられ，前記下金型のうち一方の棒状体の下面を形成する部分と，前記上金型のうち他方の棒状体の上面を形成する部分との間には，前記一方の棒状体の下面と前記他方の棒状体における上面との間にパウチ容器の差し込み用の細幅スリットを形成するようにした段差が設けられている。」
ことを特徴としている。
【考案の効果】
【００１３】
請求項１に記載した構成によると，パウチ容器を，一方の棒状体における下面と他方の棒状体における上面との間の細幅スリット内に差し込みし，この状態で，前記パウチ容器における抽出口に近づけるように相対的に移動することにより，前記パウチ容器における内容物を絞り出すことができる。
【００１４】
この場合，前記一方の棒状体における左側面又は右側面よりも外側の部位に，前記他方の棒状体を位置するという構成にしたことにより，これらを合成樹脂製にするか，或いは軽金属製にする場合において，以下に述べるように，互いに合わせる構成にした一対の金型を使用して射出成形又はダイキャスト成形することができる。
【００１５】
すなわち，前記一対の金型を，前記他方の棒状体における上面と同一平面において型合わせするか，或いは，前記一方の棒状体における下面と同一平面において型合わせすることにより，その一対の金型のうち一方の金型によって前記一方の棒状体のうちその下面を除く部分及び他方の棒状体における上面を形成することかできる一方，他方の金型によって前記他方の棒状体のうちその上面を除く部分及び一方の棒状体における下面を形成することができる。
【００１６】
そこで，前記一方の金型のうち前記他方の棒状体における上面を形成する部分を，前記他方の金型のうち前記一方の棒状体における下面を形成する部分よりも適宜寸法だけ低くするか，或いは，前記他方の金型のうち前記一方の棒状体における下面を形成する部分を，前記一方の金型のうち前記他方の棒状体における上面を形成する部分よりも適宜寸法だけ高くするというように，適宜寸法の段差を設けることにより，前記一方の棒状体における下面と，前記他方の棒状体における上面との間に細幅スリットを形成することができる。
【００１７】
従って，請求項１によると，各棒状体の間に細幅スリットを形成する場合に，従来のように，その成形用の金型に細幅スリットを形成するための薄板部を設けることを必要とせずに，前記一方の金型のうち前記他方の棒状体における上面を形成する部分と，前記他方の金型のうち前記一方の棒状体における下面を形成する部分との間における段差によって形成することができるから，前記金型における耐久性を向上でき，ひいては，製造コストを大幅に低減できるとともに，前記細幅スリットを揃った幅寸法にすることができる。
【００１８】
次に，請求項２は，三本の棒状体にて構成した場合であり，この請求項２によると，パウチ容器を，少なくとも一本の一方の棒状体と二本の他方の棒状体との間における細幅スリット内に差し込みし，この状態で，前記パウチ容器における抽出口に近づけるように相対的に移動することにより，前記パウチ容器における内容物を，二段階にわたって絞り出すことができる。
【００１９】
そして，このように，三本の棒状体にて構成した場合に，前記一本の棒状体における左右両側面よりも外側の部位に，前記二本の他方の棒状体を位置するという構成にしたことにより，合成樹脂製にするか，或いは軽金属製にするときには，以下に述べるように，互いに型合わせする構成にした一対の金型を使用して射出成形又はダイキャスト成形することができる。
【００２０】
すなわち，前記一対の金型を，前記他方の棒状体における上面と同一平面において型合わせるか，或いは，前記一方の棒状体における下面と同一平面において型合わせすることにより，その一対の金型のうち一方の金型によって前記一方の棒状体のうちその下面を除く部分と前記各他方の棒状体における上面とを形成することができる一方，他方の金型によって前記各他方の棒状体のうちその上面を除く部分と前記一方の棒状体における下面とを形成することができる。
【００２１】
そこで，前記一方の金型のうち前記各他方の棒状体における上面を形成する部分を，前記他方の金型のうち前記一方の棒状体における下面を形成する部分よりも適宜寸法だけ低くするか，或いは，前記他方の金型のうち前記一方の棒状体における下面を形成する部分を，前記一方の金型のうち前記各他方の棒状体における上面を形成する部分よりも適宜寸法だけ高くするというように，適宜寸法の段差を設けることにより，前記一方の棒状体における下面と，前記各他方の第２棒状体における上面との間の各々に細幅スリットを形成することができる。
【００２２】
従って，請求項２によると，三本の棒状体にて構成した場合に，その成形用の金型に細幅スリットを形成するための薄板部を設けることを必要とせずに，前記一方の金型のうち前記第２棒状体及び第３棒状体における上面を形成する部分と，前記他方の金型のうち前記第１棒状体における下面を形成する部分との間における段差によって形成することができるから，前記金型における耐久性を向上でき，ひいては，製造コストを大幅に低減できるとともに，前記細幅スリットを揃った幅寸法にすることができる。
【００２３】
次に，請求項３によると，パウチ容器と相対的に移動することを，前記第１棒状体に設けた摘まみ片を持って容易に行なうことができる一方，前記摘まみ片は，前記第１棒状体を補強して，この第１棒状体における前記細幅スリットが広がる方向への撓み変形を阻止するから，パウチ容器における絞り出し残しを少なくできる。
【００２４】
また，請求項３によると，パウチ容器と相対的に移動することを，前記第１棒状体を除く他の棒状体に設けた摘まみ片を持って容易に行なうことができる一方，前記摘まみ片は，前記他の棒状体を補強して，この他の棒状体における前記細幅スリットが広がる方向への撓み変形を阻止するから，パウチ容器における絞り出し残しを少なくできる。
【００２５】
特に，請求項５に記載したように，前記摘まみ片を山形状にすることにより，前記各棒状体のうち曲げモーメントが最も大きい部分を前記摘まみ片によって効果的に補強したうえで，軽量化及び材料の節減を図ることができる。
【図面の簡単な説明】
【００２６】
【図１】本考案の実施の形態を示す斜視図である。
【図２】図１のII−II視正面図である。
【図３】図２の平面図である。
【図４】図２のIV−IV視拡大右側面図である。
【図５】図２のＶ−Ｖ視拡大断面図である。
【図６】金型を使用して成形している状態を示す拡大断面図である。
【図７】図６において金型を開いたときを示す拡大断面図である。
【図８】別の金型を使用して成形している状態を示す拡大断面図である。
【図９】図８において金型を開いたときを示す拡大断面図である。
【考案を実施するための形態】
【００２７】
以下，本考案の実施の形態を，図１〜図７の図面について説明する。
【００２８】
この実施の形態は，絞り出し装置を三本の棒状体によって構成した場合である。
【００２９】
図１〜図７において，符号１は，合成樹脂等にて袋状又はチューブ状に形成したパウチ容器２に使用する絞り出し装置を示し，この絞り出し装置１は，平行に並べた三本の棒状体３，４，５によって構成されている。
【００３０】
前記三本の棒状体３，４，５は，前記絞り出し装置１における長手方向の両端の部分において一体的に連結されており，この両端における連結部を符号６，７で示している。また，別の実施の形態では，前記三本の棒状体３，４，５を，その一端の部分のみにおいて一体に連結する構成にすることができる。
【００３１】
前記三本の棒状体３，４，５のうち一本の第１棒状体（一方の棒状体）３は，その長手方向に平面状に延びる下面３ａ及び左右両側面３ｂ，３ｃを有し，その上面には，その長手方向に延びる板状に構成した摘まみ片８が一体に設けられており，この摘まみ片８は，その中央部分を最も高くした山形状に形成されている。
【００３２】
前記三本の棒状体３，４，５のうち第２棒状体（他方の棒状体）４は，その長手方向に平面状に延びる上面４ａを有して，その長手方向から見て，図４及び図５に示すように，前記第１棒状体３における下面３ａよりも下側で且つその左側面３ｂよりも外側の部位に位置するように，前記第１棒状体３に対して横方向にずらせた部位に配設されている。
【００３３】
前記三本の棒状体３，４，５のうち第３棒状体（他方の棒状体）５は，その長手方向に平面状に延びる上面５ａを有して，その長手方向から見て，図４及び図５に示すように，前記第１棒状体３における下面３ａよりも下側で且つ右側面３ｃよりも外側の部位に位置するように，前記第１棒状体３に対して横にずらせた部位に配設されている。
【００３４】
そして，前記第１棒状体３における下面３ａを，前記第２棒状体４における上面４ａ及び前記第３棒状体５における上面５ａよりも適宜寸法Ｓだけ高い部位に位置するか，或いは，前記第２棒状体４における上面４ａ及び前記第３棒状体５における上面５ａを，前記第１棒状体３における下面３ａよりも適宜寸法Ｓだけ低い部位に位置することにより，これらの間の各々に，適宜幅寸法Ｓの細幅スリット９，１０を形成している。
【００３５】
なお，前記第２棒状体４及び前記第３棒状体５における下面には，その長手方向に延びる凹み溝４ｂ，５ｂが設けられている。
【００３６】
前記した構成の絞り出し装置１は，その第１棒状体３と第２棒状体４及び第３棒状体５との間における細幅スリット９，１０内に，図１，図３及び図５に二点鎖線で示すように，パウチ容器２を差し込み挿入し，この状態で，前記パウチ容器２における抽出口２ａに近づけるように相対的に移動することにより，前記パウチ容器２における内容物を絞り出すことができる。
【００３７】
この移動は，前記第１棒状体３の上面に設けた摘まみ片８を持って容易に行なうことができ，しかも，前記摘まみ片８は，前記第１棒状体３を補強して，この第１棒状体３における前記各細幅スリット９，１０が広がる方向への撓み変形を阻止するから，パウチ容器２における絞り出し残しを少なくできる。
【００３８】
この場合，別の実施の形態においては，前記第１棒状体３の上面に摘まみ片８を設けることに代えて，或いは，これに加えて，前記第２棒状体４及び第３棒状体５のうちいずれか一方又は両方の下面に，図２，図４及び図５に二点鎖線で示すように，前記と同様に構成した摘まみ片８′，８″を設けるという構成にすることができる。
【００３９】
前記した構成の絞り出し装置１は，以下に延べるように，一対の金型を使用して合成樹脂にて樹脂成形するか，或いは軽合金にてダイキャスト成形することができる。
【００４０】
すなわち，図６及び図７に示すように，上金型Ａ及び下金型Ｂを使用して，これら両金型Ａ，Ｂを，前記第２棒状体４における上面４ａ及び前記第３棒状体５における上面５ａと同一の平面Ｃにおいて型合わせするという構成にする。
【００４１】
この場合，前記一対の金型のうち上金型Ａには，その下面Ａ１（つまり，合わせ面Ｃ）に第１キャビティーＡ２を凹まてせて設けることにより，前記第１棒状体３のうちその下面３ａを除く部分を形成するとともに，前記下面Ａ１のうち第１キャビティーＡ２の両外側の部分Ａ３，Ａ４によって，前記第２棒状体４及び第３棒状体５における上面４ａ，５ａを形成する一方，前記一対の金型のうち下金型Ｂには，その上面Ｂ１（つまり，合わせ面Ｃ）に第２キャビティーＢ２及び第３キャビティーＢ３を凹ませて設けることにより，前記第２棒状体４及び第３棒状体５のうちその上面４ａ，５ａを除く部分を形成するとともに，前記第２キャビティーＢ２と第３キャビティーＢ３との間の部分Ｂ４によって，前記第１棒状体３における下面３ａを形成する。
【００４２】
この成形に際しては，前記下金型Ｂのうち前記第１棒状体３における下面３ａを形成する部分Ｂ４を，前記両金型Ａ，Ｂの型合わせ面Ｃ，つまり，前記上金型Ａのうち前記第２棒状体４及び第３棒状体５における上面４ａ，５ａを形成する部分Ａ３，Ａ４よりも適宜寸法Ｓだけ高くするか，或いは，前記両金型Ａ，Ｂの型合わせ面Ｃ，つまり，前記上金型Ａのうち前記第２棒状体４及び第３棒状体５における上面４ａ，５ａを形成する部分Ａ３，Ａ４を，前記下金型Ｂのうち前記第１棒状体３における下面３ａを形成する部分Ｂ４よりも適宜寸法Ｓだけ低くするという構成にする。
【００４３】
これにより，前記第１棒状体３における下面３ａと，前記第２棒状体４及び第３棒状体５における上面４ａ，５ａとの間の各々に，適宜幅寸法Ｓの細幅スリット９，１０を形成することができる。
【００４４】
次に，図８及び図９は，別の一対の金型Ａ′，Ｂ′を使用して成形する場合を示しており，この金型Ａ′，Ｂ′は，前記第１棒状体３における下面３ａと同一の平面Ｃ′において型合わせする構成にしたものである。
【００４５】
この場合には，前記上金型Ａ′のうち前記第２棒状体４及び第３棒状体５における上面４ａ，５ａを形成する部分Ａ３′，Ａ４′を，前記両金型Ａ′，Ｂ′の型合わせ面Ｃ′，つまり，前記下金型Ｂ′のうち前記第１棒状体３における下面３ａを形成する部分Ｂ４′よりも適宜寸法Ｓだけ低くするか，或いは，前記両金型Ａ′，Ｂ′の型合わせ面Ｃ′，つまり，前記下金型Ｂ′のうち前記第１棒状体３における下面３ａを形成する部分Ｂ４′を，前記上金型Ａ′のうち前記第２棒状体４及び第３棒状体５における上面４ａ，５ａを形成する部分Ａ３′，Ａ４′よりも適宜寸法Ｓだけ高くするという構成にする。
【００４６】
これにより，前記同様に，前記第１棒状体３における下面３ａと，前記第２棒状体４及び第３棒状体５における上面４ａ，５ａとの間の各々に，適宜幅寸法Ｓの細幅スリット９，１０を形成することができる。
【００４７】
前記した実施の形態は，絞り出し装置を，三本の棒状体にて構成した場合であったが，本考案は，これに限らず，前記第３棒状体を廃止することによって，二本の棒状体にて構成した絞り出し装置にするか，或いは，二本にした一方の棒状体と，二本にした他方の棒状体とで構成した絞り出し装置にできることはいうまでもない。
【符号の説明】
【００４８】
１                      絞り出し装置
２                      パウチ容器
３                      第１棒状体（一方の棒状体）
３ａ                    第１棒状体の下面
３ｂ，３ｃ              第１棒状体の側面
４                      第２棒状体（他方の棒状体）
４ａ                    第２棒状体の上面
５                      第３棒状体（他方の棒状体）
５ａ                    第３棒状体の上面
６，７                  連結部
８                      摘まみ片
９，１０                細幅スリット
Ａ，Ａ′                上金型（一方の金型）
Ｂ，Ｂ′                下金型（他方の金型）
Ｃ，Ｃ′                型合わせ面
Ａ２，Ａ２′            第１キャビティー
Ｂ２，Ｂ２′            第２キャビティー
Ｂ３，Ｂ３′            第３キャビティー
【図１】
0003170324.tif 000003
【図２】
0003170324.tif 000004
【図３】
0003170324.tif 000005
【図４】
0003170324.tif 000006
【図５】
0003170324.tif 000007
【図６】
0003170324.tif 000008
【図７】
0003170324.tif 000009
【図８】
0003170324.tif 000010
【図９】
0003170324.tif 000011
【手続補正書】
【提出日】平成23年7月11日(2011.7.11)
【手続補正１】
【補正対象書類名】実用新案登録請求の範囲
【補正対象項目名】請求項６
【補正方法】変更
【補正の内容】
【請求項６】
互いに型合わせされる上金型と下金型とから成り，前記上金型の下面には，一方の棒状体を形成する第１キャビティーが凹ませて設けられている一方，前記下金型の上面には，前記第１キャビティーよりも外側の部分に他方の棒状体を形成する第２キャビティーが凹ませて設けられていて，前記第１キャビティーと前記第２キャビティーとは，その一端部又は両端部において連通する構成であり，更に，前記下金型には，前記一方の棒状体の下面を形成する部分が，前記上金型には，前記他方の棒状体の上面を形成する部分が各々設けられ，前記下金型のうち一方の棒状体の下面を形成する部分と，前記上金型のうち他方の棒状体の上面を形成する部分との間には，前記一方の棒状体の下面と前記他方の棒状体における上面との間にパウチ容器の差し込み用の細幅スリットを形成するようにした段差が設けられていることを特徴とする請求項１記載の絞り出し装置の成形用金型。